(57)【要約】【課題】記録媒体に記録された複数の番組の内容を短時間で確認できるようにする。【解決手段】再生したストリーム信号をＤＥＭＵＸ１４で番組毎に分離して、それぞれの番組用のバッファ１５，１６，１７，１８に書込み、読出して伸張処理部１９，２０，２１，２２によって復号してＤ／Ａコンバータ２３，２４，２５，２６でベースバンドの映像信号に変換して、映像処理部２７で各番組の映像が１画面に画面分割状態で表示されるように処理して映像出力部２８を介して表示手段に出力する。　また、制御部１２によって、記録媒体からの再生速度を制御して複数の番組を同一画面で高速再生することを可能とする。【選択図】　　　図１
2004007118.tif 000002
【特許請求の範囲】
【請求項１】
異なる複数の放送番組を構成するテレビジョン信号が記録された記録媒体から、前記複数の番組を構成するテレビジョン信号を再生する再生手段と、
再生手段によって再生された信号から番組毎にテレビジョン信号を生成する手段と、
前記生成された複数の番組を構成するテレビジョン信号を同一表示画面で表示可能となるように組合わせて出力する手段と、
を具備したことを特徴とするテレビジョン信号再生装置。
【請求項２】
前記再生手段は、前記表示された複数の番組を選択してそれぞれ異なる再生速度で再生することを可能とする再生手段を含むことを特徴とする請求項１に記載のテレビジョン信号再生装置。
【請求項３】
異なる複数の放送番組を構成する圧縮符号化されたデジタルテレビジョン信号がストリームとして記録された記録媒体から、前記複数の番組を構成するデジタルテレビジョン信号を前記記録時の時間軸より早い時間軸を有する信号として再生する再生手段と、
再生手段によって再生された信号から番組毎のテレビジョン信号を抽出する手段と、
抽出されたテレビジョン信号が番組毎に書込まれる複数のバッファ手段と、
前記各バッファ手段から前記テレビジョン信号を読出して復号して番組毎の映像信号を得る手段と、
前記番組毎の映像信号を同一表示画面で表示可能となるように組合わせて出力する手段と、
を具備したことを特徴とするテレビジョン信号再生装置。
【請求項４】
前記バッファ手段内のデータ量を監視する制御手段を含み、当該制御手段は前記データ量が所定量以下になった際に、前記記録媒体から前記バッファに書込まれるべきデータを読出すように制御するものであることを特徴とする請求項３に記載のテレビジョン信号再生装置。
【請求項５】
前記バッファ手段は、前記映像信号を得る手段からの要求によりデータを出力するものであることを特徴とする請求項４に記載のテレビジョン信号再生装置。
【請求項６】
前記制御手段は、前記バッファ手段への最大転送レートに基づいて、前記再生速度を制御するものであることを特徴とする請求項３に記載のテレビジョン信号再生装置。
【請求項７】
異なる複数の放送番組を構成するテレビジョン信号が記録された記録媒体から、前記複数の番組を構成するテレビジョン信号を再生するステップと、
再生手段によって再生された信号から番組毎にテレビジョン信号を生成するステップと、
前記生成された複数の番組を構成するテレビジョン信号を同一表示画面で表示可能となるように組合わせて出力するステップと、
を具備したことを特徴とするテレビジョン信号再生方法。
【発明の詳細な説明】
【０００１】
【発明の属する技術分野】
本発明は、ハードディスク等の記録媒体に記録されたテレビジョン信号を再生する再生装置及び再生方法に関し、特に複数の映像信号を同一の表示手段の画面を分割して同時に表示するようにしたテレビジョン信号再生装置及び再生方法に関する。
【０００２】
【従来の技術】
近年、映像信号は、デジタル信号による圧縮技術が飛躍的に進歩し、それを伝送したり記録したりする技術も日々改良されている状況にある。　また、そのようなデジタル映像信号を記録する記録媒体として、大容量化及びアクセス速度の高速化が進んだことにより、磁気テープに代わってＨＤＤ（Ｈａｒｄ　Ｄｉｓｃ　Ｄｒｉｖｅ）あるいはＤＶＤ−ＲＡＭ（Ｄｉｇｉｔａｌ　Ｖｅｒｓａｔｉｌｅ　Ｄｉｓｃ−Ｒａｎｄｏｍ　Ａｃｃｅｓｓ　Ｍｅｍｏｒｙ）等のランダムアクセス可能なものが使われてきつつある。
【０００３】
このような記録媒体を用いたテレビジョン信号の記録再生装置として従来、図１０に示すものがある。
図１０に示す装置は、デジタルテレビジョン放送を受信して、受信したテレビジョン信号を記録再生するように構成されたもので、入力端子１０１には例えば図示しないアンテナからの信号が供給され、チューナを含む受信手段１０２で選局受信され復調されて所定チャンネルの受信信号として出力される。
【０００４】
アナログ放送を受信する場合は、受信手段１０２からベースバンドの映像及び音声信号として出力され、Ａ／Ｄコンバータ１０３でデジタル化された後、圧縮処理部１０４でＭＰＥＧ（Ｍｏｖｉｎｇ　Ｐｉｃｔｕｒｅ　Ｅｘｐｅｒｔｓ　Ｇｒｏｕｐ）−２による圧縮処理が施されて記録再生部１０５に供給される。記録再生部１０５に供給されたデジタルデータは、制御部１０６が記録再生部１０５を駆動することによって、記録媒体１０７に記録される。
【０００５】
また、デジタル放送を受信する場合は、受信手段１０２で受信し、かつ復調した後、誤り訂正符号を付加する等して、ＴＳ（Ｔｒａｎｓｐｏｒｔ　Ｓｔｅａｍ）の形態で記録再生部１０５に供給され、制御部１０６の制御の下に記録媒体１０７に記録される。
【０００６】
記録されたデジタルテレビジョンデータは、制御部１０６の制御の下、記録再生部１０５を介して記録媒体１０７から読み出され、伸張処理部１０８でＭＰＥＧの復号が行われて、非圧縮のデジタルデータに変換されＤ／Ａコンバータ１０９でアナログ信号に変換され、ベースバンドの映像及び音声信号として出力端子１１０から出力される。
【０００７】
出力端子１１０から出力される映像及び音声信号は、図示しない一般的なモニタ手段に供給され、映像の映出と音声の出力が行われる。
以上のような記録再生装置は、例えば特開２００１−１９７４１３号公報あるいは特開平８−１３８３１８号公報に記載されている。
このような、記録再生装置においては、ＶＴＲのように記録したい放送番組を選択して、録画予約を行って記録するというような使い方もできるが、記録媒体として適用される例えばＨＤＤが１００〜２００時間程度の放送を記録することが可能であるため、受信した放送信号を選択せずにそのまま連続的に記録しておき、後から、希望の番組のみを選択して再生して視聴するという使い方をすることが考えられている。
【０００８】
そのように記録した記録媒体からテレビジョン信号を再生する場合、記録媒体がデジタル放送信号を記録したものであると、記録されたデータとしては番組を構成する映像及び音声データとは別にＥＰＧ（Ｅｌｅｃｔｒｏｎｉｃ　Ｐｒｏｇｒａｍ　Ｇｕｉｄｅ）データも記録されているため、ＥＰＧを再生して画面表示し、視聴したい番組を選択することができる。
【０００９】
しかしながら、ＥＰＧでは、番組タイトル、番組内容の簡単な説明、出演者のリストの一部等が表示されるだけであり、表示されない情報に基いて、番組を特定することができない。ＥＰＧによって見たい番組が特定できない場合、ユーザは、記録された番組を最初から全部再生して見るしか手立てはない。
【００１０】
２００時間もの放送番組を全て見ることは困難極まる作業であり、再生時間を短縮するために、再生信号の時間軸を速めるいわゆる倍速再生を行っても、４０倍速で５時間も必要であり、依然として使い勝手が良いとはいえない。
前述の特開平８−１３８３１８号には、複数の番組の放送信号を１つの画面に同時に再生できるように合成して記録し、複数の番組を同一画面で再生する提案がなされているが、この提案の場合、記録時に複数の番組が合成されるため、同一画面で再生される番組の組合せも、記録時に決定されてしまい、自由に選択することはできない。また、記録時に複数の番組を合成するた際に、情報の間引き等の処理が必要で、再生した際に、画質が充分に得られないという問題も発生する。
【００１１】
【発明が解決しようとする課題】
以上のように、従来、異なる複数番組が記録された記録媒体の、記録内容を確認するには、相当の労力が必要であった。
本発明は、以上の問題に対処してなされたものであって、複数の異なる番組を、同一画面上に同時に表示するように構成すると共に、各番組の再生速度を自由に設定でるように構成して、短時間で記録内容を確認することができるようにしたテレビジョン信号再生装置及び再生方法に関する。
【００１２】
【課題を解決するための手段】
本発明の、テレビジョン信号再生装置は、異なる複数の放送番組を構成するテレビジョン信号が記録された記録媒体から、前記複数の番組を構成するテレビジョン信号を再生する再生手段と、再生手段によって再生された信号から番組毎にテレビジョン信号を生成する手段と、前記生成された複数の番組を構成するテレビジョン信号を同一表示画面で表示可能となるように組合わせて出力する手段とを具備したことを特徴とする。
【００１３】
本発明によれば、記録媒体に記録された複数の番組の映像を同一画面で見ることができるため、記録された番組の内容を容易に確認することができる。
本発明の、テレビジョン信号再生装置は、異なる複数の放送番組を構成する圧縮符号化されたデジタルテレビジョン信号がストリームとして記録された記録媒体から、前記複数の番組を構成するデジタルテレビジョン信号を前記記録時の時間軸より早い時間軸を有する信号として再生する再生手段と、再生手段によって再生された信号から番組毎のテレビジョン信号を抽出する手段と、抽出されたテレビジョン信号が番組毎に書込まれる複数のバッファ手段と、前記各バッファ手段から前記テレビジョン信号を読出して復号して番組毎の映像信号を得る手段と、前記番組毎の映像信号を同一表示画面で表示可能となるように組合わせて出力する手段とを具備したことを特徴とする。
【００１４】
本発明によれば、倍速再生された複数の番組の映像を同一画面に表示することができるため、短時間で記録された番組内容を確認することができるものである。
本発明の、テレビジョン信号再生方法は、異なる複数の放送番組を構成するテレビジョン信号が記録された記録媒体から、前記複数の番組を構成するテレビジョン信号を再生するステップと、再生手段によって再生された信号から番組毎にテレビジョン信号を生成するステップと、前記生成された複数の番組を構成するテレビジョン信号を同一表示画面で表示可能となるように組合わせて出力するステップとを具備したことを特徴とする。
【００１５】
本発明によれば、記録媒体に記録された複数の番組の映像を同一画面で見ることができるため、記録された番組の内容を容易に確認することができる。
【００１６】
【発明の実施の形態】
以下、図面を参照しながら本発明の実施の形態を詳細に説明する。
図１は、本発明のテレビジョン信号再生装置の一実施の形態を説明するためのブロック図である。
記録媒体１１は、図１２に示す記録装置によって、デジタル放送の放送信号が記録された記録媒体であり、制御部１２の制御の下に再生される。
再生されたデータは、制御部１２によって制御される再生信号処理部１３で、波形整形がなされ、デジタル信号として整形されると共に誤り訂正等の処理が施され、ＤＥＭＵＸ（デマルチプレクサ）１４に供給される。ＤＥＭＵＸ１４では制御部１２の制御の下、再生信号処理部１３から供給されるＴＳ信号から、各番組の映像データ及び音声データを抽出しバッファＡ１５、バッファＢ１６、バッファ１７、バッファ１８に振り分ける。
【００１７】
すなわち、ＴＳ信号の中には、映像データ及び音声データの他に、付加情報データが含まれており、付加情報には前述のＥＰＧデータの他に各放送番組を特定するための番組識別情報が含まれ、同じ番組情報が付された映像データ及び音声データを同じバッファに順次書込むように構成することが可能である。
【００１８】
制御部１２の制御の下、ＤＥＭＵＸ１４によって振れ分けられた番組Ａのデータを順次バッファＡ１５に書込み、番組Ｂのデータを順次バッファＢ１６に書込み、番組Ｃのデータを順次バッファＣ１７に書込み、番組Ｄのデータを順次バッファＤに書込む。
【００１９】
各バッファ１５〜１８に書込まれたデータは、それぞれ伸張処理部１９，２０，２１，２２で伸張処理が施される。すなわち、ＭＰＥＧの復号が行われるもので、各バッファと伸張処理部とでＭＰＥＧデコーダが構成されている。
伸張処理部１９〜２２から出力されるデジタル映像データ及び音声データは、それぞれＤ／Ａコンバータ２３，２４，２５，２６アナログのベースバンド映像信号及び音声信号になり、映像信号が映像信号処理部２７に供給される。
映像信号処理部２７では、入力される４番組の映像信号が、同じ画面で表示されるように、水平走査線周波数の変更及び、走査線の削減が行われ映像出力部２８に供給される。
図１では、伸張処理部１９〜２２の出力をそれぞれ、Ｄ／Ａ変換してから、映像信号処理部２７で処理する例を示したが、伸張処理部１９〜２２の出力を映像信号処理部２７でデジタル的に処理した後で、Ｄ／Ａ変換するようにしてもよい。そのように構成すれば、Ｄ／Ａ変換器は１個設ければよいことになる。
【００２０】
映像出力部２８は陰極線管等で構成される図示しない表示手段に映像信号処理部２７の出力を供給して、それを映出する。
図２は、映像出力部２８からの映像信号を表示する表示手段４１の表示例を示すもので、表示画面４２が４つに分割されて、番組Ａ，Ｂ，Ｃ，Ｄが表示されていることが解る。図では、４番組が均等に画面分割されているが、各番組の画面上の表示位置、表示の大きさは自由に設定可能である。
【００２１】
図１に戻り、番組Ａ〜Ｄの選択は、例えばＥＰＧを画面表示して、ユーザに選択させることができる。そのため、入力部２９を備え、制御部１２に対して制御信号を供給するように構成されている。またＤＥＭＵＸ１４によって、ＥＰＧデータを分離抽出してＥＰＧデータ処理部３０に供給し、ＥＰＧデータ処理部３０でＥＰＧデータを、ＥＰＧを表示させるための信号に復号して映像処理部２７に供給するようにしている。
【００２２】
入力部２９は、図示しないリモコンハンドユニットからのリモコン信号を受けるものであるか、あるいは再生装置の筐体前面に設けられたスイッチである。
なお、再生する番組は、常に４番組同時に再生する必要はなく、２番組、３番組を同時に再生して画面表示するようにしてもよい。また、本当に視聴したい番組が確認できたら、その１番組のみを再生して画面表示するのが通常の使い方であると思われ、当然ながらそのような使い方にも対応しているものである。
【００２３】
以上のように構成された再生装置の動作を説明する。
図３は、再生したデータから番組Ａと番組Ｂのデータを選択して、画面表示させようとした際の、バッファ１５，１６へのデータ書込みと読出しの動作を説明するための図である。
図３において、点線が各バッファ１５，１６の最大容量であり、上昇方向が、書込み、下降方向が読出しを示している。
図３（ａ）はビットレートの大きい番組Ａの書込み、読出し状況を示し、図３（ｂ）はビットレートの小さい番組Ｂの書込み、読出し状況を示す。
図３（ａ）において、番組ＡのデータをタイミングＡｔ０，Ａｔ２，Ａｔ４で書込み、タイミングＡｔ１，Ａｔ３，Ａｔ５で読出す。
図３（ａ）に示すバッファＡ１５における番組Ａのデータ処理は、書込みのデータ量に対して、読出しのデータ量が多く、このため、タイミングＡｔ６において、読出すデータが全くない、いわゆるアンダーフローの状況を呈してしまうことを示している。
【００２４】
図３（ｂ）に示すバッファＢ１６における番組Ｂのデータ処理は書込みのデータ量と読出しはデータ量とが略等しくなっており、適正な処理が行なわれデータが欠如してしまうということはない。
図３（ａ）では、読出すデータ量が書込むデータ量より多いため、アンダーフローを起こしてしまうが逆に、書込むデータ量の方が多いと、オーバーフローしてしまうことになり、ビットレートの大きいデータを扱う際には、充分な注意が必要である。
【００２５】
そこで、各バッファに対するデータの書込み、読出しを制御部１２によって図４、図５のフローチャートに示すように制御している。
図４、図５は、特にバッファＡ１５に対する処理を示しているが、各バッファとも同様である。
図４は、バッファＡ１５に対するデータの書込み処理を示しており、ステップ４ａで開始され、ステップ４ｂでバッファＡ１５のデータ量が監視され、一定レベル以下に減ったか否かの判断がなされる。一定レベル以下に減った場合、ステップ４ｃで記録媒体１１からバッファＡ１５用に次のデータを読出し、次いでステップ４ｄで記録媒体１１から読出したデータをＤＥＭＵＸ１４を介してバッファＡ１５へ送り、ステップ４ｅでデータがバッファＡ１５へ書込まれ、終了後ステップ４ｂに戻って再びバッファＡ１５のデータ量の監視を行なう。
【００２６】
このように、バッファＡ１５のデータが一定レベル以下に減ったことを判別して、データの書込みを実行するものであり、アンダーフローは確実に防止できる。また、書込みの際のデータ量は容易に把握できるのでオーバーフローも防止することができるものである。なお、こにおいて、一定レベル以下とは記録媒体１１からデータを読出す際の最小単位以上のものに設定される。
【００２７】
図５は、バッファＡ１５からのデータの読出し処理を示しており、ステップ５ａで開始され、ステップ５ｂで、伸張処理部１９からデータの要求があるか否かの判定がなされ、伸張処理部１９からデータの要求があれば、ステップ５ｃでバッファＡ１５から伸張処理部１９へデータを供給する。ステップ５ｃの処理が終了すれば、再びステップ５ｂに戻り、伸張処理部１９からのデータ要求の監視を行なう。なお、ここにおいて、伸張処理部１９への１回あたりのデータの供給量は、１バイトであったり１パケットであったり、あるいは数バイト、数パケットであってもよい。
【００２８】
図４に示す処理と、図５に示す処理は、互いに他方の処理状況に無関係に独立して並列に実行されることを可能としている。
以上の処理により、適切なデータ処理が可能となるもので、それを図６に基づいてさらに詳細に説明する。
すなわち、図６（ａ）に示すように、バッファＡ１５からデータを読出す処理を実行している際に、データ量が所定レベル（Ｓ）以下になると、制御部１２がバッファＡ１５のデータの読出しを停止してデータの書込みを行うように切換える。これにより、番組ＡのバッファＡ１５への書込みデータ量より読出しデータ量が多い場合でも、アンダーフローをおこすことがない。図６（ａ）において、Ａｔ２，Ａｔ４，Ａｔ８が、データ量が所定レベル（Ｓ）以下になって、書込みに転じたタイミングを表している。タイミングＡｔ６は、本来ならば所定レベル（Ｓ）を超えた時点となるが、そのタイミングで番組Ｂの書込みが実行されているため、制御部１２は、番組ＢのデータのバッファＢ１６への書込みが終了したタイミングＡｔ６で、記録媒体１１からデータを再生してバッファ１５への書込みを実行する。
【００２９】
以上のように、各バッファ１５〜１８へのデータの書込み順序とタイミングを、制御部１２で制御することにより、アンダーフロー及びオーバーフローを確実に防止することができるものである。
図６（ｂ）は、番組Ｂのデータ処理状況を示している。すなわち、バッファＢ１６のデータを読出している際に、データ量が所定レベル（Ｓ）より低下したタイミングで、バッファＢ１６へデータを書込む処理を実行するように切換える。以上のように、各バッファのデータの読出し処理中に、データの量を監視し、所定レベル（Ｓ）以下に下がった際に、書込み処理に切換えると共に、各バッファ１５〜１８へのデータの書込み順序とタイミングを調整することにより、適切なデータ処理を行うことができるものである。
【００３０】
なお、以上の説明では映像データを主体して音声データについては触れなかったが、図２に示すように複数の番組が再生されている状態では、どれか１番組を選択してその番組のみ音声を出力するように構成できるが、全ての番組の音声を出力しないようにすることもできる。
【００３１】
さて、記録媒体１１に記録されたテレビジョンデータは、記録時と同じ時間軸を持ったデータとして再生されるばかりでなく、それより速い時間軸を持ったデータとして再生可能であり、ｎ倍速での再生が可能である。このように、４番組をｎ倍速で再生して見ることで短時間で記録内容を確認することができるものである。
【００３２】
このような、再生倍速の設定は、入力部２９からユーザによって実行される。制御部１２は、ユーザが設定した倍速が処理可能かどうか判断する。すなわち、ｎ倍速で再生するということは、各バッファ及び伸張処理部で構成されるＭＰＥＧ２デコーダに供給するデータもｎ倍の転送レートで供給する必要があり、同時に再生する番組数が多くなれば、転送レートはさらに上がることになる。しかしながらＭＰＥＧ２デコーダの入力部の転送レートは有限であり、最大転送レートが存在する。この最大転送レートを超える転送レートを設定する必要が生じても、最大転送レートでしか転送されないので、どこかのバッファがアンダーフローとなり、映像が破綻してしまう。
【００３３】
制御部１２はこのような問題が発生しないように、再生速度を調整して映像が破綻しないようする。その際、ユーザには、ユーザの要望に応じられないというメッセージを画面表示あるいは他の手段で伝えるようにすることが好ましい。
制御部１２の倍速再生設定に関する処理を図７のフローチャートに示す。
ステップ７ａで開始され、ステップ７ｂで入力部２７への（リモコンによる）操作キー入力があったか否かが判断され、操作キー入力があった場合には、ステップ７ｃでキー入力が再生速度（スロー再生、１〜Ｘ倍速）を設定するキー入力か否かが判断され、再生速度を設定するキー入力でなかったら、ステップ７ｄでそのキー入力の処理を実行する。
【００３４】
再生速度を設定するキー入力の場合、ステップ７ｅでその速度で再生しても、「最大転送速度＞各バッファへのデータ転送速度」という条件を満足することができるかという判断がなされ、条件を満たしていればステップ７ｆでその設定を受け付けて、ステップ７ｂに戻る。そして設定した速度での再生が実行される。
【００３５】
ステップ７ｅで条件を満足しない再生速度であると判断された場合には、ステップ７ｇでその再生速度の設定を受け付けないか、あるいは条件を満たす範囲の再生速度の設定を行って、ステップ７ｂに戻る。
図７には示していないが、ステップ７ｇの処理の後で、ユーザによる再生速度の設定が不可能であって設定がなされないこと、あるいは他の再生速度の設定が実行されたことをユーザに告知するステップを設けることが好ましい。
なお、倍速再生は、各番組が同じｎ倍速で再生される必要はなく、番組Ａをｎ倍速とし、番組Ｂをｍ倍速として、番組ＣとＤを１倍速で再生するようにも各番組毎に再生速度を異ならせることも可能である。
制御部１２による再生速度の調整も、各番組毎に実行され、番組Ａが９倍速で再生され、番組Ｂが４倍速で再生されている際に、番組Ｂの再生速度を８倍速に変更しようとする場合、最大転送レート以下に収まるのが６倍速までなら６倍速に設定したり、あるいは番組Ｂを８倍速にする代わりに番組Ａの再生速度を７倍速に落として最大転送レート内に収まるように設定する。
【００３６】
各番組毎の再生速度の設定は、図２に示すように４つの番組が表示されている状態で、入力部２９を操作して例えばカーソルによって番組を選択した後、入力部２９のキーで再生速度を設定するように構成することが可能である。
倍速再生における、バッファへのデータの書込み及び読出し処理の状況を図８に示す。
図８（ａ）に示す番組ＡのバッファＡ１５も、図８（ｂ）に示す番組ＢのバッファＢ１６も、制御部１２の制御によって、データを破綻させることなく書込み、読出しが実行されていることが解る。
図９は、この発明のテレビジョン信号再生装置の他の実施の形態を示すブロック図である。
図９において、図１と同一個所に同一符号を付して、詳細な説明は省略する。図９における図１との相違点は、ストリーム処理部９１が設けられている点であり、他の個所は図１と同一である。
ストリーム処理部９１は、ＭＰＥＧデータの不要部分を削除するようにしている。すなわち、ＭＰＥＧにおいては、映像データはフレーム内で符号化されたＩピクチャとフレーム間の差に基づいて符号化されたＰピクチャとＢピクチャで構成され、Ｉピクチャはそれ自体でフレーム画像を再現することが可能である。Ｉピクチャは１５フレームごとに配置されるように符号化されるため、このＩピクチャのみ抽出すれば、多少画質の劣化はあるものの、転送データ量の削減が可能であり、例えば１５倍速の再生を行なう場合には、大幅なデータの削減が可能である。
【００３７】
ストリーム処理部９１は、制御部１２の制御の下、Ｉピクチャに付加されて伝送される先頭Ｉピクチャを示すコードに基づき、Ｉピクチャを抽出する。抽出したＩピクチャのデータは、ＤＥＭＵＸ１４を介して、番組毎に設けられたバッファに書込まれる。
【００３８】
バッファに対する書込み、読出し処理については、前述のとおりである。
高速再生は、番組内容を確認するのが主目的であり、確認可能な程度の画質があれば十分で、Ｉピクチャのみでも目的を達成できるが、ストリーム処理部９１でＩピクチャの他にＰピクチャも抽出して、両ピクチャから映像を構築するように構成すればさらに品位の高い画質が得られ、低倍速度での再生時でも多少データ量を削減することができる。
【００３９】
以上のように、本発明によれば、記録媒体から複数の番組を構成するストリーム信号を読出して、番組毎に信号を分離抽出し、それぞれ復号してから複数の番組の映像が同一の表示画面に同時に表示されるように組合わせ処理を行なって出力し、さらに再生速度を記録時のｎ倍速で再生できるように構成することによって、記録媒体に記録された複数の番組を短い時間で確認することができるものである。
【００４０】
【発明の効果】
以上のように、本発明によれば、複数の番組を構成する信号が記録された記録媒体から信号を再生し、再生された信号から各番組毎の映像信号を生成して、複数の番組の映像が同一の表示画面に同時に表示されるように組合わせて出力すると共に、記録媒体から高速度での再生を可能としたため記録媒体に記録された複数の番組を短い時間で確認することができるものである。
【図面の簡単な説明】
【図１】本発明に係る、テレビジョン信号再生装置の一実施の形態を示すブロック図。
【図２】図１に示す装置によって生成された映像信号を表示手段で表示した例を示す図。
【図３】図１に示す装置の動作を説明するための波形図。
【図４】図１に示す装置の要部の動作を説明するためのフローチャート。
【図５】図１に示す装置の他の要部の動作を説明するためのフローチャート。
【図６】図１に示す装置の他の動作を説明するための波形図。
【図７】図１に示す装置のさらに他の要部の動作を説明するためのフローチャート。
【図８】図１に示す装置のさらに他の動作を説明するための波形図。
【図９】本発明に係る、テレビジョン信号再生装置の他の実施の形態を示すブロック図。
【図１０】一般的な記録装置を示すブロック図。
【符号の説明】
１１…記録媒体
１２…制御部
１３…再生信号処理部
１４…デマルチプレクサ（ＤＥＭＵＸ）
１５…バッファＡ
１６…バッファＢ
１７…バッファＣ
１８…バッファＤ
１９，２０，２１，２２…伸張処理部
２３，２４，２５，２６…Ｄ／Ａコンバータ
２７…映像信号処理部
２８…映像出力部
２９…入力部
３０…ＥＰＧ処理部
９１…ストリーム処理部
【図１】
2004007118.tif 000003
【図２】
2004007118.tif 000004
【図３】
2004007118.tif 000005
【図４】
2004007118.tif 000006
【図５】
2004007118.tif 000007
【図６】
2004007118.tif 000008
【図７】
2004007118.tif 000009
【図８】
2004007118.tif 000010
【図９】
2004007118.tif 000011
【図１０】
2004007118.tif 000012